(57)【特許請求の範囲】
【請求項１】
ノズルヘッドの押圧とその復帰動作の繰り返にてピストンを往復動させてシリンダー内に容器内の内容物を吸引するとともに加圧して排出するポンプ本体を備えた吐出器において、
ポンプ本体を保持し容器の口部にねじ止めされるベースキャップと、ノズルヘッドの押圧に際してそれを通過させる開口端を有しベースキャップを容器の肩部とともに覆い隠す肩カバーとを備え、
前記ベースキャップに、容器の径方向に向けて肩落ちさせる少なくとも１つの段差を形成しこの段差部の側壁に互いに間隔をおいて配置される複数の縦リブを設け、
前記肩カバーの内壁面に、ベースキャップの最も外側の側壁に接触する先端部を有し相互に間隔をおいて配置される縦リブと、ベースキャップのそれぞれの縦リブに係合して肩カバーをベースキャップに連結保持する係止部材を設けたことを特徴とするポンプ吐出器。
【請求項２】
容器が詰め替え容器である、請求項１記載のポンプ吐出器。
【発明の詳細な説明】
【０００１】
【発明の属する技術分野】
本発明は、肩カバー付きのポンプ吐出器に関し、該吐出器の肩カバーの背面に侵入する水を効率的に排出しようとするものである。
【０００２】
【従来の技術】
シャンプーやリンス、ボディーソープ等の内容物を充填しておく容器は、資源の有効活用を図る観点から、内容物のみを詰め替えることによって容器そのものを継続して使用できるように詰め替えタイプの容器が多用されてきており、その口部には、内容物の適量吐出ができるように押圧式のポンプ吐出器が配置されている。
【０００３】
かかる容器は、大型サイズのものが多く、とくにシャンプー等を充填しておく容器は浴室に常時据え置かれるのが前提になることから、容器内への水の侵入を防ぐためその肩部には肩カバーが設けられているのが普通であり、この点に関する先行文献としては、実用新案登録第２５２５９９６号公報に見られるような注出器が参照される。
【０００４】
ところで、この種の容器は、蒸気が立ち込めた雰囲気では、肩カバーと容器との隙間から蒸気が侵入してその内側に水滴が生じるも、それを排出ができないために、水滴が多量に溜まったり、構成部材の連結部分から容器内に水が侵入するおそれがあり、侵入・蓄積された水は時間の経過と共に汚濁する可能性がある。
【０００５】
【発明が解決しようとする課題】
本発明の課題は、シャワーや浴槽の湯が直接かかっても構成部材の間から容器内に水が侵入するのを防止するとともに、たとえ肩カバーの背面に水が侵入しても即座に外界へ排出できる新規なポンプ吐出器を提案するところにある。
【０００６】
【課題を解決するための手段】
本発明は、ノズルヘッドの押圧とその復帰動作の繰り返しにてピストンを往復動させてシリンダー内に容器内の内容物を吸引するとともに加圧して排出するポンプ本体を備えた吐出器であって、
ポンプ本体を保持し容器の口部にねじ止めされるベースキャップと、ノズルヘッドの押圧動作に際してそれを通過させる開口端を有しベースキャップを容器の肩部とともに覆い隠す肩カバーとを備え、
前記ベースキャップに、容器の径方向に向けて肩落ちさせる少なくとも１つの段差を形成しこの段差部の側壁に互いに間隔をおいて配置される複数の縦リブを設け、
前記肩カバーの内壁面に、ベースキャップの最も外側の側壁に接触する先端部を有し相互に間隔をおいて配置される縦リブと、ベースキャップのそれぞれの縦リブに係合して肩カバーをベースキャップに連結保持する係止部材を設けたことを特徴とするポンプ吐出器であり、容器は、詰め替え容器とするのがとくに好適である。
【０００７】
【発明の実施の形態】
以下、図面を参照して本発明をより具体的に説明する。
図１は本発明に従うポンプ吐出器を詰め替え容器の口部に装着した状態を示したものである。
【０００８】
図において番号１は内容物を収納しその詰め替えを可能とする容器、２は内容物の吸引、加圧に供するピストンｔを内挿するシリンダ、３はシリンダ２内のピストンに連結するノズルヘッドであり、このノズルヘッド３はこの例ではカバーＫを装着した状態で示してある。また、４はシリンダ２内に配置される逆止弁、５はシリンダ２の吸込み口で連結する吸引管であり、シリンダ２、ノズルヘッド３、逆止弁４及び吸引管５にてポンプ本体Ｐを形成する。
【０００９】
また、６はポンプ本体Ｐをねじ係合等によって容器の軸心に沿って直立状態で保持するベースキャップであり、このベースキャップ６は容器１の口部１ａにねじ止めにて係合させることができるようになっている。
【００１０】
また、７は肩カバーである。この肩カバー７はノズルヘッド３の押圧動作に際して図２に示す如くそれを通過させる開口端７ａを有しベースキャップ６を容器の肩部ｓとともに覆い隠すようになっている。
【００１１】
ベースキャップ６には容器の径方向に向けて肩落ちさせる少なくとも１つの段差ｄが形成（全周）されていて、この段差ｄの側壁には互いに間隔をおいて複数の縦リブ６ａが設けられている。
【００１２】
一方、肩カバー７の内壁面には、ベースキャップ６の最も外側の側壁に接触する先端部を持ち相互に間隔をおいて配置される縦リブ７ｂとアンダーカットの如きにて係止できる係止部材７ｃが設けられていて、該肩カバー７はベースキャップ６に係止部材７ｃを介して連結保持されている。
【００１３】
本発明に従うポンプ吐出器は、ポンプ本体Ｐとベースキャップ６及び肩カバー７にて構成され、肩カバー７にて湯や水の飛沫を防ぐことが可能であり、しかも、肩カバー７の開口端７ａあるいはその下端から蒸気が侵入して水滴が生じても図３の斜視図に示すように縦リブ６ａの相互間及び縦リブ７ｂの相互間を通り抜けて下端から排出されるため、その内側で水が溜まるようなことはない。
【００１４】
上掲図１においてはノズルヘッド３にカバーＫを装着した場合を例として示したが、これは肩カバー７の開口端７ａとの間で極微小な隙間を形成するものであれば一体ものであってもかまわない。
【００１５】
肩カバー７をベースキャップ６に連結保持するに当たってはベースキャップ６の側壁に縦の細溝８を設けておき、この細溝８に肩カバー７の縦リブ７ａを先端部を適合させることによって確実な位置決めが行なえる。また、該細溝８は、ベースキャップ６の側壁全周にわたって形成されるローレットを利用することも可能である。
【００１６】
容器１については、その内側に内容物を保持する内容器を備えた二重容器を適用することもでき、この点については本発明において限定はされない。
【００１７】
【発明の効果】
本発明によれば、肩カバーの背面に水が侵入しても簡単に排出されるので、水が容器内に侵入するのは勿論、それによる容器内の汚濁を確実に回避でき、容器を清潔に保つことができる。
【図面の簡単な説明】
【図１】  本発明に従うポンプ吐出器を容器の口部に装着した状態を示した図である。
【図２】  図１に示したポンプ吐出器のノズルヘッドを押圧した状態を示した図である。
【図３】  本発明に従うポンプ吐出器の要部の外観斜視図である。
【符号の説明】
１  容器
１ａ  口部
２  シリンダ
３  ノズルヘッド
４  逆止弁
５  吸引管
６  ベースキャップ
７  肩カバー
７ａ  開口端
７ｂ  縦リブ
７ｃ  係止部材
Ｐ  ポンプ本体
Ｋ  カバー
ｔ  ピストン
【図１】
0003973895.tif 000002
【図２】
0003973895.tif 000003
【図３】
0003973895.tif 000004